(57)【要約】【課題】本発明は、ポリビニルアルコール素材の優れた吸水性を巧みに利用し、臭いや皮膚荒れの発生を軽減し、膨らみ過ぎ又は折り曲げによる破損の心配もなく、長期間の使用に耐え得る保冷スカーフを提供するものである。【解決手段】本発明の保冷スカーフ１は、細長い長方形状で透水性を有する生地４を折り返し、重なり合う端縁部４ａを縫製による接合部５で連結して細長い袋帯状とした外装材２と、外装材２における長さ方向中央部領域６内に一定長さを有する保冷材主収容領域８を形成し、その両側から長さ方向末端にわたって生地４が重なり合う一対の端片部７を形成する一対の逢着仕切り部３、３と、保冷材主収容領域１１内に充填したポリビニルアルコール素材１３からなる保冷材１２と、外装材２の中央部領域６の長さ方向中心部に設けた中央逢着部８と、を有する。【選択図】図１
2014014393.tif 000002
【特許請求の範囲】
【請求項１】
細長い袋帯状とした透水性を有する外装材と、
前記外装材における長さ方向中央部領域内に保冷材主収容領域を形成し、その両側から長さ方向末端にわたって生地が重なり合う一対の端片部を形成する一対の逢着仕切り部と、
前記保冷材主収容領域内に充填したポリビニルアルコール素材からなる保冷材と、
を有することを特徴とする保冷スカーフ。
【請求項２】
長さ方向の仮想中心線に関して対称形状に形成した細長い長方形状で透水性を有する生地を仮想中心線で折り返し、重なり合う端縁部を縫製による接合部で連結して細長い袋帯状とした外装材と、
前記外装材における長さ方向中央部領域内に一定長さを有する保冷材主収容領域を形成し、その両側から長さ方向末端にわたって生地が重なり合う一対の端片部を形成する前記外装材の長さ方向と直交する配置の一対の逢着仕切り部と、
前記保冷材主収容領域内に充填したポリビニルアルコール素材からなる保冷材と、
を有することを特徴とする保冷スカーフ。
【請求項３】
長さ方向の仮想中心線に関して対称形状に形成した細長い長方形状で透水性を有する生地を仮想中心線で折り返し、重なり合う端縁部を縫製による接合部で連結して細長い袋帯状とした外装材と、
前記外装材における長さ方向中央部領域内に一定長さを有する保冷材主収容領域を形成し、その両側から長さ方向末端にわたって生地が重なり合う一対の端片部を形成する前記外装材の長さ方向と直交する配置の一対の逢着仕切り部と、
前記保冷材主収容領域内に充填したポリビニルアルコール素材からなる保冷材と、
前記外装材の中央部領域の長さ方向中心部に設けた前記保冷材を区画しつつ前記一対の逢着仕切り部近傍に至る配置の中央逢着部と、
を有することを特徴とする保冷スカーフ。
【請求項４】
長さ方向の仮想中心線に関して対称形状に形成した細長い長方形状で透水性を有する生地を仮想中心線で折り返し、重なり合う端縁部を縫製による接合部で連結して細長い袋帯状とした外装材と、
前記外装材における長さ方向中央部領域内に一定長さを有する保冷材主収容領域を形成し、その両側から長さ方向末端にわたって生地が重なり合う一対の端片部を形成する前記外装材の長さ方向と直交する配置の一対の逢着仕切り部と、
前記保冷材主収容領域内に充填されるとともに、前記一対の逢着仕切り部により仕切られつつ各々端片部内方にはみ出す形態に充填したポリビニルアルコール素材からなる保冷材と、
前記外装材の中央部領域の長さ方向中心部に設けた前記保冷材を区画しつつ前記一対の逢着仕切り部近傍に至る配置の中央逢着部と、
を有することを特徴とする保冷スカーフ。
【請求項５】
長さ方向の仮想中心線に関して対称形状に形成した細長い長方形状で透水性を有する生地を仮想中心線で折り返し、重なり合う端縁部を縫製による接合部で連結して細長い袋帯状とした外装材と、
前記外装材における長さ方向中央部領域内に一定長さを有する保冷材主収容領域を形成し、その両側から長さ方向末端にわたって生地が重なり合い、かつ、前記接合部側の各末端部領域は弧状に形成されて末端部で収束する一対の端片部を形成する前記外装材の長さ方向と直交する配置の一対の逢着仕切り部と、
前記保冷材主収容領域内に充填されるとともに、前記一対の逢着仕切り部により仕切られつつ各々端片部内方にはみ出す形態に充填したポリビニルアルコール素材からなる保冷材と、
前記外装材の中央部領域の長さ方向中心部に設けた前記保冷材を区画しつつ前記一対の逢着仕切り部近傍に至る配置の中央逢着部と、
を有することを特徴とする保冷スカーフ。
【請求項６】
前記ポリビニルアルコール素材は、白色のポリビニルアルコール材又は白色のポリビニルアルコールスポンジ材であることを特徴とする請求項１乃至５のいずれかに記載の保冷スカーフ。
【発明の詳細な説明】
【技術分野】
【０００１】
本発明は、保冷スカーフに関し、詳しくは、ポリビニルアルコール素材の優れた吸水性を巧みに利用し、臭いや皮膚荒れの発生を軽減し、膨らみ過ぎ又は折り曲げによる破損の心配もなく、長期間の使用に耐え得る保冷スカーフに関するものである。
【背景技術】
【０００２】
従来、生地を細長い袋帯状に縫い合わせ、その内部に吸水性ポリマーを充填してスカーフ形態の冷却具としたものが知られている。
【０００３】
しかしながら、このような構成の冷却具の場合、以下に述べるような諸問題を包含している。
【０００４】
（ａ）袋帯内の吸水性ポリマーが使用者の汗等を直接吸収してしまい、生地の外に排出されないことから臭いが発生したり、皮膚あれの原因となっていた。
【０００５】
（ｂ）吸水性ポリマーが洗剤を吸ってしまうため、又は吸水性ポリマーが膨らみ過ぎて破損の原因となったりすることから洗うことができなかった。
【０００６】
（ｃ）吸水性ポリマーが使用しているうちに膨らまなくなってしまい、スカーフとして使用できなくなってしまっていた。
【０００７】
（ｄ）吸水性ポリマーが水を吸ってから圧力を加えても吸い込んだ水が排出されないことから膨らんだ後に折り曲げると破損してしまうという問題もあった。
【０００８】
特許文献１には、保冷材として吸水性ポリマーを使用し、この保冷材を複数に区画した袋部に封入した構成からなり、装身用保冷バンド又はバンダナとして使用する吸水性樹脂入りバンドが提案されている。
【０００９】
また、特許文献２には、帯状の透水性シートを袋状にしてなる本体バンドと、当該本体バンド内に収容された２枚の帯状の不織布又は紙の間に粉状乃至は粒状の吸水性ポリマーを挟み込んでなる吸水性ポリマーシートと、該本体バンドの両末端に設けられた繋止部と、を備えた冷却バンドが提案されている。
【００１０】
しかし、特許文献１の吸水性樹脂入りバンド、特許文献２の冷却バンドの場合も、保冷材として吸水性ポリマーを使用するものであることから、既述したような問題を包含している。
【先行技術文献】
【特許文献】
【００１１】
【特許文献１】特許第４２０４９０４号公報
【特許文献２】実用新案登録第３１６８４０９号公報
【発明の概要】
【発明が解決しようとする課題】
【００１２】
本発明が解決しようとする問題点は、ポリビニルアルコール素材の優れた吸水性を巧みに利用し、臭いや皮膚荒れの発生を軽減し、膨らみ過ぎ又は折り曲げによる破損の心配もなく、長期間の使用に耐え得るような保冷スカーフが従来存在しない点である。
【課題を解決するための手段】
【００１３】
本発明に係る保冷スカーフは、細長い袋帯状とした透水性を有する外装材と、前記外装材における長さ方向中央部領域内に保冷材主収容領域を形成し、その両側から長さ方向末端にわたって生地が重なり合う一対の端片部を形成する一対の逢着仕切り部と、前記保冷材主収容領域内に充填したポリビニルアルコール素材からなる保冷材と、を有することを最も主要な特徴とする。
【発明の効果】
【００１４】
請求項１記載の発明によれば、保冷材をポリビニルアルコール素材とし、外装材として透水性を有する袋帯状のものを使用することにより、洗いに強く、長期間の使用にも耐え、清潔性も維持でき、臭いや皮膚荒れの発生を軽減し、膨らみ過ぎ又は折り曲げによる破損の心配もない保冷スカーフを実現し提供することができる。
【００１５】
請求項２記載の発明によれば、長さ方向の仮想中心線に関して対称形状に形成した細長い長方形状で透水性を有する生地を仮想中心線で折り返し、重なり合う端縁部を縫製による接合部で連結して細長い袋帯状とした外装材と、前記外装材における長さ方向中央部領域内に一定長さを有する保冷材主収容領域を形成し、その両側から長さ方向末端にわたって生地が重なり合う一対の端片部を形成する前記外装材の長さ方向と直交する配置の一対の逢着仕切り部と、前記保冷材主収容領域内に充填したポリビニルアルコール素材からなる保冷材とを有する構成の基に、請求項１記載の発明と同様、洗いに強く、長期間の使用に耐え、清潔性も維持でき、臭いや皮膚荒れの発生を軽減し、膨らみ過ぎ又は折り曲げによる破損の心配もない保冷スカーフを実現し提供することができる。
【００１６】
請求項３記載の発明によれば、請求項２記載の発明と同様な作用、効果を発揮するとともに、外装材の中央部領域の長さ方向中心部に中央逢着部を付加したことにより、この中央逢着部と、一対の逢着仕切り部とによって、前記保冷材１２を定位置に安定して保持でき、使用対象箇所に対する保冷作用を安定して発揮させることができる保冷スカーフを実現し提供することができる。
【００１７】
請求項４記載の発明によれば、請求項３記載の発明と同様な作用、効果を発揮するとともに、一対の逢着仕切り部により仕切られつつ各々端片部内方にはみ出す形態に保冷材を充填した構成を付加しているので、使用者の使用対象箇所に対する保冷可能面積を保冷材の保持安定性を維持しつつ一層拡張できる保冷スカーフを実現し提供することができる。
【００１８】
請求項５記載の発明によれば、請求項４記載の発明と同様な作用、効果を発揮するとともに、一対の端片部における接合部側の各末端部領域を弧状に形成し、末端部で収束する形態としているので、スカーフとして実際に使用する際の見栄え、体裁も良好となり、使用者に快適な使用感を与えることもできる保冷スカーフを実現し提供することができる。
【００１９】
請求項６記載の発明によれば、請求項１乃至５のいずれかに記載の保冷スカーフにおいて、ポリビニルアルコール素材は、白色のポリビニルアルコール材又は白色のポリビニルアルコールスポンジ材としているので、請求項１乃至５のいずれかに記載の発明の効果を奏することに加え、脱色や衣服への色移りを無くすことができる保冷スカーフを実現し提供することができる。
【図面の簡単な説明】
【００２０】
【図１】図１は本発明の実施例に係る保冷スカーフの平面図である。
【図２】図２は本実施例に係る保冷スカーフを構成する生地の展開状態の平面図である。
【図３】図３は図１のＡ−Ａ線断面図である。
【図４】図４は図１のＢ−Ｂ線断面図である。
【図５】図５は本実施例に係る保冷スカーフの使用状態の概略斜視図である。
【発明を実施するための形態】
【００２１】
本発明は、ポリビニルアルコール素材の優れた吸水性を巧みに利用し、臭いや皮膚荒れの発生を軽減し、膨らみ過ぎ又は折り曲げによる破損の心配もなく、長期間の使用に耐え得る保冷スカーフを提供するという目的を、長さ方向の仮想中心線に関して対称形状に形成した細長い長方形状で透水性を有する生地を仮想中心線で折り返し、重なり合う端縁部を縫製による接合部で連結して細長い袋帯状とした外装材と、前記外装材における長さ方向中央部領域内に一定長さを有する保冷材主収容領域を形成し、その両側から長さ方向末端にわたって生地が重なり合う一対の端片部を形成する前記外装材の長さ方向と直交する配置の一対の逢着仕切り部と、前記保冷材主収容領域内に充填したポリビニルアルコール素材からなる保冷材と、前記外装材の中央部領域の長さ方向中心部に設けた前記保冷材を区画しつつ前記一対の逢着仕切り部近傍に至る配置の中央逢着部と、を有する構成により実現した。
【実施例】
【００２２】
以下、本発明の実施例に係る保冷スカーフについて図１乃至図５を参照して詳細に説明する。
【００２３】
本実施例に係る保冷スカーフ１は、図１に示すように、細長い袋帯状とした外装材２と、前記外装材２における長さ方向中央部領域６において、この外装材２の長さ方向と直交する配置に一定の間隔を隔て設けた一対の逢着仕切り部３、３と、この一対の逢着仕切り部３、３により長さ方向中央部領域６の内部に形成される保冷材主収容領域１１内に充填したポリビニルアルコール（ＰＶＡ：polyvinyl alcohol）素材１３からなる保冷材１２と、を有している。
【００２４】
前記外装材２は、図２に示すように長さ方向の仮想中心線Ｃに関して対称形状に形成した細長い長方形状で透水性を有する生地４を前記仮想中心線Ｃで折り返し、保冷材主収容領域１１内に例えば薄型直方体状の保冷材１２を内装しつつ重なり合う端縁部４ａ、４ａ同士を縫製による接合部５で連結して全体として細長い袋帯状に形成している。
【００２５】
そして、この外装材２内の保冷材主収容領域１１の長さ方向両隅部に、前記一対の逢着仕切り部３、３を設けて、保冷材１２を定位置に保持するように構成している。
【００２６】
更に、前記一対の逢着仕切り部３、３を設けることにより、一対の逢着仕切り部３、３の両側から外装材２の長さ方向末端にわたって生地４が重なり合う一対の端片部７、７を形成している。
【００２７】
これら一対の端片部７、７における前記接合部５側の各末端部領域は、図１に示すように、各々弧状に形成されて外装材２の末端部で収束する形態としている。すなわち、前記接合部５側の各末端部領域の形状は、例えば刀の刃先の如き形状を呈するように構成している。
【００２８】
本実施例に係る保冷スカーフ１は、更に、図４に示すように、前記ポリビニルアルコール素材１３の両側の端部１３ａ、１３ａを、前記一対の逢着仕切り部３、３により仕切りつつ各々端片部７、７の内方に例えば１ｃｍ程度はみ出す形態に充填している。
【００２９】
また、本実施例に係る保冷スカーフ１は、図１、図３に示すように、前記外装材２の中央部領域６の長さ方向中心部に、前記保冷材１２を区画しつつ前記一対の逢着仕切り部３、３の近傍に至る配置の中央逢着部８を設けている。
【００３０】
本実施例に係る保冷スカーフ１において、前記外装材２としては、透水性を有し、堅牢度の高い綿材、麻材、不織布等を用いる。
【００３１】
また、前記外装材２を構成する生地４としては、例えばホワイト、ピンク、ブルー、グリーン等の色のものを使用する例を挙げることができる。
【００３２】
前記保冷材１２を構成するポリビニルアルコール素材１３としては、吸水性、耐摩耗性、弾力性に優れたポリビニルアルコール材或いはポリビニルアルコールスポンジ材を用いる。また、ポリビニルアルコール材又はポリビニルアルコールスポンジ材の色としては、白色のものを用いることが好ましい。
【００３３】
本実施例に係る保冷スカーフ１の各部の寸法としては、一対の逢着仕切り部３、３間の寸法Ｌ１＝３４ｃｍ、各端片部７、７の寸法Ｌ２＝３０ｃｍ、外装材２の幅寸法Ｗ＝５ｃｍの例を挙げることができるが、これらの寸法に限定されることなく各種の寸法仕様とすることができることはもちろんである。
【００３４】
以上説明した本実施例に係る保冷スカーフ１によれば、保冷材１２をポリビニルアルコール素材１３とし、外装材２の生地４として透水性を有し、堅牢度の高い綿材、麻材、不織布等を用いることにより、実際の使用により保冷材１２中に汗等が吸収されたり、洗剤を吸ってしまったような場合でも、保冷スカーフ１を水の中でもみ洗いすることにより汗等の成分や洗剤が水とともに外装材２を経て排出されるようになり、洗いに耐える強度もあるため、洗濯機で破損させることなく洗うことも可能となり、保冷スカーフ１の清潔性を維持できる。
【００３５】
また、保冷材１２をポリビニルアルコール素材１３とすることにより、何回使用しても水を保水することができ、長く性能を維持できるとともに、前記保冷材１２は圧力を加えても水を排出できることから、折り曲げても破損することが無くなりこの点からも長く性能を維持できる。
【００３６】
一方、ポリビニルアルコール素材１３を用いた保冷材１２の場合、汚れ易い、破れ易い、強い洗剤で一部分を洗うとその部分の色が変わるというような問題も包含するが、前記保冷材１２を前記外装材２により覆うことをもって、生地４は汚れを吸着しにくく汚れにくくなるとともに、仮に汚れが付いても堅牢度の高い生地４を使用することで重点的に洗っても色落ちが目立ちにくくなる。
【００３７】
また、前記保冷材１２を前記外装材２により覆うことをもって、保冷材１２を前記外装材２とともに折り畳むようにして乾かすような場合でも、ポリビニルアルコール素材１３の表面のくっつきは無くなり、表面破損を回避できる。
【００３８】
更に、本実施例に係る保冷スカーフ１において、ポリビニルアルコール素材１３として白色のポリビニルアルコール材又は白色のポリビニルアルコールスポンジ材を使用し、前記外装材２により覆うことをもって、脱色や衣服への色移りも無くなる。
【００３９】
本実施例に係る保冷スカーフ１において、前記一対の逢着仕切り部３、３と、前記中央逢着部８とにより保冷材１２を仕切るように構成しているので、保冷材１２は常時外装材２内の保冷材主収容領域１１に安定して保持されることから、例えば図５に示すように使用者Ｍの首に巻いて使用する場合においても、保冷材１２に吸収した水分蒸発時の気化熱を利用した首に対する保冷作用を安定して発揮させることができる。
【００４０】
また、前記外装材２における一対の端片部７、７における前記接合部５側の各末端部領域を、各々弧状に形成し外装材２の末端部で収束する形態としているので、実際の使用時の見栄え、体裁も良好となり、使用者Ｍに快適な使用感を与えることもできる。
【００４１】
更には、前記ポリビニルアルコール素材１３の両側の端部１３ａ、１３ａを、前記一対の逢着仕切り部３、３により仕切りつつ各々端片部７、７の内方にはみ出す形態とすることにより、使用者Ｍの使用対象箇所に対する保冷可能面積を保冷材１２の保持安定性を維持しつつ一層拡張できる利点もある。
【産業上の利用可能性】
【００４２】
本発明に係る保冷スカーフは、本来の用途であるスカーフとして使用する場合の他、バンダナとして使用したり、手首、足首その他身体各部に巻き付けて当該箇所の保冷、冷却に使用することができ、高温期の屋外レジャー、各種スポーツ用途等に広範に適用可能である。
【符号の説明】
【００４３】
１    保冷スカーフ
２    外装材
３    逢着仕切り部
４    生地
４ａ  端縁部
５    接合部
６    中央部領域
７    端片部
８    中央逢着部
１１    保冷材主収容領域
１２    保冷材
１３    ポリビニルアルコール素材
１３ａ  端部
Ｃ    仮想中心線
Ｍ    使用者
Ｌ１    寸法
Ｌ２    寸法
Ｗ    幅寸法
【図１】
2014014393.tif 000003
【図２】
2014014393.tif 000004
【図３】
2014014393.tif 000005
【図４】
2014014393.tif 000006
【図５】
2014014393.tif 000007